【手続補正書】
【提出日】平成18年3月29日(2006.3.29)
【手続補正１】
【補正対象書類名】特許請求の範囲
【補正対象項目名】全文
【補正方法】変更
【補正の内容】
【特許請求の範囲】
【請求項１】
指定された形態の画像データを撮像して出力する撮像素子と、
静止画撮影が指示されたタイミングで、静止画用の画像データを撮像して出力する処理を前記撮像素子に実行させ、この出力された画像データを静止画データとして記録する静止画撮影手段と、
動画撮影が指示された後に、動画フレーム用の画像データを撮像して出力する処理を、予め決められた時間間隔で前記撮像素子に繰り返し実行させ、動画撮影の終了が指示されるまでの間に出力された複数の画像データを、取得時と同じ順番で連続再生することが可能な動画データとして記録する動画撮影手段と、
前記動画撮影手段による動画撮影中に静止画撮影が指示された場合は、前記動画撮影手段による前記撮像素子の利用を一時的に中断して前記静止画撮影手段に前記撮像素子を利用させ、前記静止画撮影手段による前記撮像素子の利用が終了した後に前記動画撮影手段による前記撮像素子の利用を再開させる割込制御手段と、
前記割込制御手段によって前記動画撮影手段による前記撮像素子の利用が中断されている時間が、予め決められた時間を経過した場合は、前記静止画撮影手段による前記撮像素子の利用を中断させることにより前記動画撮影手段による前記撮像素子の利用を再開させる再開制御手段と、
を備えることを特徴とする撮影装置。
【請求項２】
前記静止画撮影手段は、前記静止画用の画像データを撮像する前の準備動作として、準備動作用の画像データを撮像して出力する処理を、この準備動作が完了するまでの間、前記撮像素子に繰り返し実行させ、
前記割込制御手段は、前記準備動作を含めて前記静止画撮影手段による前記撮像素子の利用が行われている間は、前記動画撮影手段による前記撮像素子の利用を一時的に中断することを特徴とする請求項１記載の撮影装置。
【請求項３】
前記準備動作は、適切なフォーカスが得られるまでの間、レンズの焦点距離を変えながらオートフォーカス用の画像データを撮像して出力する処理を前記撮像素子に繰り返し実行させる準備動作であることを特徴とする請求項２記載の撮影装置。
【請求項４】
前記静止画撮影の指示は、前記準備動作の開始指示と本撮影の開始指示の２つの指示を含み、
前記準備動作は、前記準備動作の開始が指示されてから前記本撮影の開始が指示されるまでの間、モニタ表示用の画像データを撮像して出力する処理を前記撮像素子に繰り返し実行させる準備動作であることを特徴とする請求項２記載の撮影装置。
【請求項５】
前記再開制御手段は、前記準備動作中において前記予め決められた時間を経過した場合は、静止画データの撮像を行うことなく前記静止画撮影手段による前記撮像素子の利用を強制的に中断させて前記動画撮影手段による前記撮像素子の利用を再開させることを特徴とする請求項２乃至４記載の撮影装置。
【請求項６】
前記静止画撮影手段は、静止画撮影の指示が継続して行われている間は、静止画用の画像データを撮像して出力する処理を前記撮像素子に連続して複数回実行させ、この出力された各々の画像データを静止画データとして記録し、
前記割込制御手段は、前記静止画撮影手段により前記撮像素子が連続して利用されている間は、前記動画撮影手段による前記撮像素子の利用を一時的に中断し、
前記再開制御手段は、前記静止画撮影手段により前記撮像素子が連続して利用されている時間または回数が予め決められた時間または回数に達した場合は、前記継続した静止画撮影の指示に応じて行われる静止画データの撮像動作を中断させて前記動画撮影手段による前記撮像素子の利用を再開させることを特徴とする請求項１記載の撮影装置。
【請求項７】
前記静止画撮影手段は、シャッター半押し操作により準備動作を開始し、シャッター全押し操作による本撮影が指示されるまでの間、準備動作用の画像データを撮像して出力する処理を前記撮像素子に繰り返し実行させ、
前記割込制御手段は、前記準備動作を含めて前記静止画撮影手段による前記撮像素子の利用が行われている間は、前記動画撮影手段による前記撮像素子の利用を一時的に中断することを特徴とする請求項６記載の撮影装置。
【請求項８】
前記静止画撮影手段は、シャッター全押し操作が行われた後、シャッター半押し状態が継続している間は静止画撮影の指示が継続して行われているものとして静止画用の画像データを撮像して出力する処理を前記撮像素子に連続して実行させることを特徴とする請求項７記載の撮影装置。
【請求項９】
撮影者が静止画撮影の指示操作を行ったタイミングを検出する検出手段と、
前記検出手段により静止画撮影の指示操作が検出された際に、撮像素子により撮像して得られる画像データを静止画データとして記録する静止画撮影手段と、
前記静止画撮影手段による静止画の撮像および記録が行われる際に、報知音を発する報知手段と、
動画撮影の開始が指示されてから動画撮影の終了が指示されるまでの間、報知音を発生することなく各動画フレームに対応する画像データを前記撮像素子により順番に撮像させるとともに、この撮像動作と平行して音声の録音動作を実行させ、この撮像動作および録音動作により得られた複数の画像データおよび音声データを音声の同時再生が可能な動画データとして記録する動画撮影手段と、
前記動画撮影手段による撮像動作および録音動作が行われている最中に、前記検出手段により静止画撮影の指示操作が検出された場合に、前記録音動作を中断することなく前記動画フレームに対応する画像データの撮像動作を一時的に中断し、この中断により利用可能になった前記撮像素子を利用して前記静止画撮影手段による静止画データの撮像動作を行わせ、この静止画データの撮像動作が終了した後に、前記一時的に中断されていた前記動画撮影手段による画像データの撮像動作を再開させる割り込み処理を行う割込制御手段と、
を備え、
前記動画撮影手段は、前記割込制御手段による割り込み処理によって中断されることなく録音され続けている音声データに対して欠落が無いように、前記中断によって欠落した動画フレームに対応する画像データを補間して動画データを記録し、
前記報知手段は、前記割込制御手段による割り込み処理によって前記静止画撮影手段による静止画の撮像および記録が行われる際は、前記報知音を発生しないように制御することを特徴とする撮影装置。
【請求項１０】
前記静止画撮影手段は、前記予め決められた期間間隔とは非同期のタイミングで静止画用の画像データを撮像して出力する処理を前記撮像素子に実行させ、
前記再開制御手段は、前記撮像素子による静止画用の画像データを撮像して出力する処理が終了した後であっても、前記音声データに対して欠落が無いように補間される各動画フレームに対応するタイミングがくるまでの間は、前記撮像素子による動画フレーム用の画像データを撮像して出力する処理を再開させずに待機することを特徴とする請求項９記載の撮影装置。
【請求項１１】
指定された形態の画像データを撮像して出力する撮像素子と、
静止画撮影が指示されたタイミングで、静止画用の画像データを撮像して出力する処理を前記撮像素子に実行させ、この出力された画像データを静止画データとして記録する静止画撮影手段と、
動画撮影が指示された後に、動画フレーム用の画像データを撮像して出力する処理を、予め決められた時間間隔で前記撮像素子に繰り返し実行させ、動画撮影の終了が指示されるまでの間に出力された複数の画像データを、取得時と同じ順番で連続再生することが可能な動画データとして記録する動画撮影手段と、
前記動画撮影手段による動画撮影中に静止画撮影が指示された場合は、前記動画撮影手段による前記撮像素子の利用を一時的に中断して前記静止画撮影手段に前記撮像素子を利用させ、前記静止画撮影手段による前記撮像素子の利用が終了した後に前記動画撮影手段による前記撮像素子の利用を再開させる割込制御手段と、
を備え、
前記静止画撮影手段は、前記静止画用の画像データを撮像する前の準備動作として、準備動作用の画像データを撮像して出力する処理を、この準備動作が完了するまでの間、前記撮像素子に繰り返し実行させ、
前記割込制御手段は、前記準備動作を含めて前記静止画撮影手段による前記撮像素子の利用が行われている間は、前記動画撮影手段による前記撮像素子の利用を一時的に中断することを特徴とする撮影装置。
【請求項１２】
撮影者が静止画撮影の指示操作を行ったタイミングを検出する検出手段と、
前記検出手段により静止画撮影の指示操作が検出された際に、撮像素子により撮像して得られる画像データを静止画データとして記録する静止画撮影手段と、
動画撮影の開始が指示されてから動画撮影の終了が指示されるまでの間、各動画フレームに対応して予め決められたタイミングで各動画フレームに対応する画像データを前記撮像素子に順番に撮像させるとともに、この撮像動作と平行して音声の録音動作を実行させ、この撮像動作および録音動作により得られた複数の画像データおよび音声データを音声の同時再生が可能な動画データとして記録する動画撮影手段と、
前記動画撮影手段による撮像動作および録音動作が行われている最中に、前記検出手段により静止画撮影の指示操作が検出された場合に、前記録音動作を中断することなく前記動画フレームに対応する画像データの撮像動作を一時的に中断し、この中断により利用可能になった前記撮像素子を利用して前記静止画撮影手段による静止画データの撮像動作を行わせ、この静止画データの撮像動作が終了した後に、前記一時的に中断されていた前記動画撮影手段による画像データの撮像動作を再開させる割り込み処理を行う割込制御手段と、
を備え、
前記動画撮影手段は、前記割込制御手段による割り込み処理によって中断されることなく録音され続けている音声データに対して欠落が無いように、前記中断によって欠落した動画フレームに対応する画像データを補間して動画データを記録し、
前記静止画撮影手段は、前記動画撮影手段による撮像動作および録音動作とは非同期のタイミングで静止画用の画像データを撮像して出力する処理を前記撮像素子に実行させ、
前記割込制御手段は、前記撮像素子による静止画用の画像データを撮像して出力する処理が終了した後であっても、前記予め決められたタイミングがくるまでの間は、前記撮像素子による動画フレーム用の画像データを撮像して出力する処理を再開させずに待機することを特徴とする撮影装置。
【請求項１３】
指定された形態の画像データを撮像して出力する撮像素子と、静止画撮影が指示されたタイミングで、静止画用の画像データを撮像して出力する処理を前記撮像素子に実行させ、この出力された画像データを静止画データとして記録する静止画撮影手段と、動画撮影が指示された後に、動画フレーム用の画像データを撮像して出力する処理を、予め決められた時間間隔で前記撮像素子に繰り返し実行させ、動画撮影の終了が指示されるまでの間に出力された複数の画像データを、取得時と同じ順番で連続再生することが可能な動画データとして記録する動画撮影手段とを有する撮像装置の撮像方法であって、
前記動画撮影手段による動画撮影中に静止画撮影が指示された場合は、前記動画撮影手段による前記撮像素子の利用を一時的に中断して前記静止画撮影手段に前記撮像素子を利用させ、前記静止画撮影手段による前記撮像素子の利用が終了した後に前記動画撮影手段による前記撮像素子の利用を再開させるステップと、
前記動画撮影手段による前記撮像素子の利用が中断されている時間が、予め決められた時間を経過した場合は、前記静止画撮影手段による前記撮像素子の利用を中断させることにより前記動画撮影手段による前記撮像素子の利用を再開させるステップと、
からなることを特徴とする撮影方法。
【請求項１４】
指定された形態の画像データを撮像して出力する撮像素子と、静止画撮影が指示されたタイミングで、静止画用の画像データを撮像して出力する処理を前記撮像素子に実行させ、この出力された画像データを静止画データとして記録する静止画撮影手段と、動画撮影が指示された後に、動画フレーム用の画像データを撮像して出力する処理を、予め決められた時間間隔で前記撮像素子に繰り返し実行させ、動画撮影の終了が指示されるまでの間に出力された複数の画像データを、取得時と同じ順番で連続再生することが可能な動画データとして記録する動画撮影手段とを備えた撮影装置が有するコンピュータに、
前記動画撮影手段による動画撮影中に静止画撮影が指示された場合は、前記動画撮影手段による前記撮像素子の利用を一時的に中断して前記静止画撮影手段に前記撮像素子を利用させ、前記静止画撮影手段による前記撮像素子の利用が終了した後に前記動画撮影手段による前記撮像素子の利用を再開させる処理と、
前記動画撮影手段による前記撮像素子の利用が中断されている時間が、予め決められた時間を経過した場合は、前記静止画撮影手段による前記撮像素子の利用を中断させることにより前記動画撮影手段による前記撮像素子の利用を再開させる処理と、
を実行させるためのプログラム。
【請求項１５】
撮影装置が有するコンピュータに、
撮影者が静止画撮影の指示操作を行ったタイミングを検出する検出処理と、
前記静止画撮影の指示操作が検出された際に、撮像素子により静止画データを撮像して記録する静止画撮影処理と、
前記静止画の撮像および記録が行われる際に、報知音を発する報知処理と、
動画撮影の開始が指示されてから動画撮影の終了が指示されるまでの間、報知音を発生することなく各動画フレームに対応する画像データを前記撮像素子により順番に撮像させるとともに、この撮像動作と平行して音声の録音動作を実行させ、この撮像動作および録音動作により得られた複数の画像データおよび音声データを音声の同時再生が可能な動画データとして記録する動画撮影処理と、
前記動画撮影動作および録音動作が行われている最中に、前記静止画撮影の指示操作が検出された場合に、前記録音動作を中断することなく前記動画フレームに対応する画像データの撮像動作を一時的に中断し、この中断により利用可能になった前記撮像素子を利用して前記静止画データの撮像動作を行わせ、この静止画データの撮像動作が終了した後に、前記一時的に中断されていた前記動画データの撮像動作を再開させる割り込み処理と、
を実行させるためのプログラムであって、
前記動画撮影処理は、前記割込制御手段による割り込み処理によって中断されることなく録音され続けている音声データに対して欠落が無いように、前記中断によって欠落した動画フレームに対応する画像データを補間して動画データを記録し、
前記報知手段は、前記割込制御手段による割り込み処理によって前記静止画撮影手段による静止画の撮像および記録が行われる際は、前記報知音を発生しないように制御することを特徴とするプログラム。
【請求項１６】
指定された形態の画像データを撮像して出力する撮像素子を備えた撮影装置が有するコンピュータに、
静止画撮影が指示されたタイミングで、静止画用の画像データを撮像して出力する処理を前記撮像素子に実行させ、この出力された画像データを静止画データとして記録する静止画撮影処理と、
動画撮影が指示された後に、動画フレーム用の画像データを撮像して出力する処理を、予め決められた時間間隔で前記撮像素子に繰り返し実行させ、動画撮影の終了が指示されるまでの間に出力された複数の画像データを、取得時と同じ順番で連続再生することが可能な動画データとして記録する動画撮影処理と、
前記動画撮影処理による動画撮影中に静止画撮影が指示された場合は、前記動画撮影処理による前記撮像素子の利用を一時的に中断して前記静止画撮影処理による前記撮像素子の利用を行い、前記静止画撮影処理による前記撮像素子の利用が終了した後に前記動画撮影処理による前記撮像素子の利用を再開させる割込制御処理と、
を実行させるためのプログラムであって、
前記静止画撮影処理は、前記静止画用の画像データを撮像する前の準備動作として、準備動作用の画像データを撮像して出力する処理を、この準備動作が完了するまでの間、前記撮像素子に繰り返し実行させ、
前記割込制御処理は、前記準備動作を含めて前記静止画撮影処理による前記撮像素子の利用が行われている間は、前記動画撮影処理による前記撮像素子の利用を一時的に中断することを特徴とするプログラム。
【請求項１７】
指定された形態の画像データを撮像して出力する撮像素子を備えた撮影装置が有するコンピュータに、
撮影者が静止画撮影の指示操作を行ったタイミングを検出する検出処理と、
前記検出処理により静止画撮影の指示操作が検出された際に、撮像素子により撮像して得られる画像データを静止画データとして記録する静止画撮影処理と、
動画撮影の開始が指示されてから動画撮影の終了が指示されるまでの間、各動画フレームに対応して予め決められたタイミングで各動画フレームに対応する画像データを前記撮像素子に順番に撮像させるとともに、この撮像動作と平行して音声の録音動作を実行させ、この撮像動作および録音動作により得られた複数の画像データおよび音声データを音声の同時再生が可能な動画データとして記録する動画撮影処理と、
前記動画撮影処理による撮像動作および録音動作が行われている最中に、前記検出処理により静止画撮影の指示操作が検出された場合に、前記録音動作を中断することなく前記動画フレームに対応する画像データの撮像動作を一時的に中断し、この中断により利用可能になった前記撮像素子を利用して前記静止画撮影処理による静止画データの撮像動作を行わせ、この静止画データの撮像動作が終了した後に、前記一時的に中断されていた前記動画撮影処理による画像データの撮像動作を再開させる割り込み処理を行う割込制御処理と、
を実行させるためのプログラムであって、
前記動画撮影処理は、前記割込制御処理による割り込み処理によって中断されることなく録音され続けている音声データに対して欠落が無いように、前記中断によって欠落した動画フレームに対応する画像データを補間して動画データを記録し、
前記静止画撮影処理は、前記動画撮影処理による撮像動作および録音動作とは非同期のタイミングで静止画用の画像データを撮像して出力する処理を前記撮像素子に実行させ、
前記割込制御処理は、前記撮像素子による静止画用の画像データを撮像して出力する処理が終了した後であっても、前記予め決められたタイミングがくるまでの間は、前記撮像素子による動画フレーム用の画像データを撮像して出力する処理を再開させずに待機することを特徴とするプログラム。
【手続補正２】
【補正対象書類名】明細書
【補正対象項目名】０００８
【補正方法】変更
【補正の内容】
【０００８】
請求項１の発明にあっては、指定された形態の画像データを撮像して出力する撮像素子と、静止画撮影が指示されたタイミングで、静止画用の画像データを撮像して出力する処理を前記撮像素子に実行させ、この出力された画像データを静止画データとして記録する静止画撮影手段と、動画撮影が指示された後に、動画フレーム用の画像データを撮像して出力する処理を、予め決められた時間間隔で前記撮像素子に繰り返し実行させ、動画撮影の終了が指示されるまでの間に出力された複数の画像データを、取得時と同じ順番で連続再生することが可能な動画データとして記録する動画撮影手段と、前記動画撮影手段による動画撮影中に静止画撮影が指示された場合は、前記動画撮影手段による前記撮像素子の利用を一時的に中断して前記静止画撮影手段に前記撮像素子を利用させ、前記静止画撮影手段による前記撮像素子の利用が終了した後に前記動画撮影手段による前記撮像素子の利用を再開させる割込制御手段と、前記割込制御手段によって前記動画撮影手段による前記撮像素子の利用が中断されている時間が、予め決められた時間を経過した場合は、前記静止画撮影手段による前記撮像素子の利用を中断させることにより前記動画撮影手段による前記撮像素子の利用を再開させる再開制御手段と、を備えることを特徴とする。
【手続補正３】
【補正対象書類名】明細書
【補正対象項目名】０００９
【補正方法】変更
【補正の内容】
【０００９】
また、請求項２の発明にあっては、前記静止画撮影手段は、前記静止画用の画像データを撮像する前の準備動作として、準備動作用の画像データを撮像して出力する処理を、この準備動作が完了するまでの間、前記撮像素子に繰り返し実行させ、前記割込制御手段は、前記準備動作を含めて前記静止画撮影手段による前記撮像素子の利用が行われている間は、前記動画撮影手段による前記撮像素子の利用を一時的に中断することを特徴とする。
【手続補正４】
【補正対象書類名】明細書
【補正対象項目名】００１０
【補正方法】変更
【補正の内容】
【００１０】
また、請求項３の発明にあっては、前記準備動作は、適切なフォーカスが得られるまでの間、レンズの焦点距離を変えながらオートフォーカス用の画像データを撮像して出力する処理を前記撮像素子に繰り返し実行させる準備動作であることを特徴とする。
【手続補正５】
【補正対象書類名】明細書
【補正対象項目名】００１１
【補正方法】変更
【補正の内容】
【００１１】
また、請求項４の発明にあっては、前記静止画撮影の指示は、前記準備動作の開始指示と本撮影の開始指示の２つの指示を含み、前記準備動作は、前記準備動作の開始が指示されてから前記本撮影の開始が指示されるまでの間、モニタ表示用の画像データを撮像して出力する処理を前記撮像素子に繰り返し実行させる準備動作であることを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
また、請求項５の発明にあっては、前記再開制御手段は、前記準備動作中において前記予め決められた時間を経過した場合は、静止画データの撮像を行うことなく前記静止画撮影手段による前記撮像素子の利用を強制的に中断させて前記動画撮影手段による前記撮像素子の利用を再開させることを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
また、請求項６の発明にあっては、前記静止画撮影手段は、静止画撮影の指示が継続して行われている間は、静止画用の画像データを撮像して出力する処理を前記撮像素子に連続して複数回実行させ、この出力された各々の画像データを静止画データとして記録し、前記割込制御手段は、前記静止画撮影手段により前記撮像素子が連続して利用されている間は、前記動画撮影手段による前記撮像素子の利用を一時的に中断し、前記再開制御手段は、前記静止画撮影手段により前記撮像素子が連続して利用されている時間または回数が予め決められた時間または回数に達した場合は、前記継続した静止画撮影の指示に応じて行われる静止画データの撮像動作を中断させて前記動画撮影手段による前記撮像素子の利用を再開させることを特徴とする。
【手続補正１０】
【補正対象書類名】明細書
【補正対象項目名】００１６
【補正方法】変更
【補正の内容】
【００１６】
また、請求項７の発明にあっては、前記静止画撮影手段は、シャッター半押し操作により準備動作を開始し、シャッター全押し操作による本撮影が指示されるまでの間、準備動作用の画像データを撮像して出力する処理を前記撮像素子に繰り返し実行させ、前記割込制御手段は、前記準備動作を含めて前記静止画撮影手段による前記撮像素子の利用が行われている間は、前記動画撮影手段による前記撮像素子の利用を一時的に中断することを特徴とする。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
また、請求項８の発明にあっては、前記静止画撮影手段は、シャッター全押し操作が行われた後、シャッター半押し状態が継続している間は静止画撮影の指示が継続して行われているものとして静止画用の画像データを撮像して出力する処理を前記撮像素子に連続して実行させることを特徴とする。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
また、請求項９の発明にあっては、撮影者が静止画撮影の指示操作を行ったタイミングを検出する検出手段と、前記検出手段により静止画撮影の指示操作が検出された際に、撮像素子により撮像して得られる画像データを静止画データとして記録する静止画撮影手段と、前記静止画撮影手段による静止画の撮像および記録が行われる際に、報知音を発する報知手段と、動画撮影の開始が指示されてから動画撮影の終了が指示されるまでの間、報知音を発生することなく各動画フレームに対応する画像データを前記撮像素子により順番に撮像させるとともに、この撮像動作と平行して音声の録音動作を実行させ、この撮像動作および録音動作により得られた複数の画像データおよび音声データを音声の同時再生が可能な動画データとして記録する動画撮影手段と、前記動画撮影手段による撮像動作および録音動作が行われている最中に、前記検出手段により静止画撮影の指示操作が検出された場合に、前記録音動作を中断することなく前記動画フレームに対応する画像データの撮像動作を一時的に中断し、この中断により利用可能になった前記撮像素子を利用して前記静止画撮影手段による静止画データの撮像動作を行わせ、この静止画データの撮像動作が終了した後に、前記一時的に中断されていた前記動画撮影手段による画像データの撮像動作を再開させる割り込み処理を行う割込制御手段と、を備え、前記動画撮影手段は、前記割込制御手段による割り込み処理によって中断されることなく録音され続けている音声データに対して欠落が無いように、前記中断によって欠落した動画フレームに対応する画像データを補間して動画データを記録し、前記報知手段は、前記割込制御手段による割り込み処理によって前記静止画撮影手段による静止画の撮像および記録が行われる際は、前記報知音を発生しないように制御することを特徴とする。
【手続補正１５】
【補正対象書類名】明細書
【補正対象項目名】００２１
【補正方法】変更
【補正の内容】
【００２１】
また、請求項１０の発明にあっては、前記静止画撮影手段は、前記予め決められた期間間隔とは非同期のタイミングで静止画用の画像データを撮像して出力する処理を前記撮像素子に実行させ、前記再開制御手段は、前記撮像素子による静止画用の画像データを撮像して出力する処理が終了した後であっても、前記予め決められたタイミングがくるまでの間は、前記撮像素子による動画フレーム用の画像データを撮像して出力する処理を再開させずに待機することを特徴とする。
【手続補正１６】
【補正対象書類名】明細書
【補正対象項目名】００２２
【補正方法】変更
【補正の内容】
【００２２】
また、請求項１１の発明にあっては、指定された形態の画像データを撮像して出力する撮像素子と、静止画撮影が指示されたタイミングで、静止画用の画像データを撮像して出力する処理を前記撮像素子に実行させ、この出力された画像データを静止画データとして記録する静止画撮影手段と、動画撮影が指示された後に、動画フレーム用の画像データを撮像して出力する処理を、予め決められた時間間隔で前記撮像素子に繰り返し実行させ、動画撮影の終了が指示されるまでの間に出力された複数の画像データを、取得時と同じ順番で連続再生することが可能な動画データとして記録する動画撮影手段と、前記動画撮影手段による動画撮影中に静止画撮影が指示された場合は、前記動画撮影手段による前記撮像素子の利用を一時的に中断して前記静止画撮影手段に前記撮像素子を利用させ、前記静止画撮影手段による前記撮像素子の利用が終了した後に前記動画撮影手段による前記撮像素子の利用を再開させる割込制御手段と、を備え、前記静止画撮影手段は、前記静止画用の画像データを撮像する前の準備動作として、準備動作用の画像データを撮像して出力する処理を、この準備動作が完了するまでの間、前記撮像素子に繰り返し実行させ、前記割込制御手段は、前記準備動作を含めて前記静止画撮影手段による前記撮像素子の利用が行われている間は、前記動画撮影手段による前記撮像素子の利用を一時的に中断することを特徴とする。
【手続補正１７】
【補正対象書類名】明細書
【補正対象項目名】００２３
【補正方法】変更
【補正の内容】
【００２３】
また、請求項１２の発明にあっては、撮影者が静止画撮影の指示操作を行ったタイミングを検出する検出手段と、前記検出手段により静止画撮影の指示操作が検出された際に、撮像素子により撮像して得られる画像データを静止画データとして記録する静止画撮影手段と、動画撮影の開始が指示されてから動画撮影の終了が指示されるまでの間、各動画フレームに対応して予め決められたタイミングで各動画フレームに対応する画像データを前記撮像素子に順番に撮像させるとともに、この撮像動作と平行して音声の録音動作を実行させ、この撮像動作および録音動作により得られた複数の画像データおよび音声データを音声の同時再生が可能な動画データとして記録する動画撮影手段と、前記動画撮影手段による撮像動作および録音動作が行われている最中に、前記検出手段により静止画撮影の指示操作が検出された場合に、前記録音動作を中断することなく前記動画フレームに対応する画像データの撮像動作を一時的に中断し、この中断により利用可能になった前記撮像素子を利用して前記静止画撮影手段による静止画データの撮像動作を行わせ、この静止画データの撮像動作が終了した後に、前記一時的に中断されていた前記動画撮影手段による画像データの撮像動作を再開させる割り込み処理を行う割込制御手段と、を備え、前記動画撮影手段は、前記割込制御手段による割り込み処理によって中断されることなく録音され続けている音声データに対して欠落が無いように、前記中断によって欠落した動画フレームに対応する画像データを補間して動画データを記録し、前記静止画撮影手段は、前記動画撮影手段による撮像動作および録音動作とは非同期のタイミングで静止画用の画像データを撮像して出力する処理を前記撮像素子に実行させ、前記割込制御手段は、前記撮像素子による静止画用の画像データを撮像して出力する処理が終了した後であっても、前記予め決められたタイミングがくるまでの間は、前記撮像素子による動画フレーム用の画像データを撮像して出力する処理を再開させずに待機することを特徴とする。
【手続補正１８】
【補正対象書類名】明細書
【補正対象項目名】００２４
【補正方法】変更
【補正の内容】
【００２４】
また、請求項１３の発明にあっては、指定された形態の画像データを撮像して出力する撮像素子と、静止画撮影が指示されたタイミングで、静止画用の画像データを撮像して出力する処理を前記撮像素子に実行させ、この出力された画像データを静止画データとして記録する静止画撮影手段と、動画撮影が指示された後に、動画フレーム用の画像データを撮像して出力する処理を、予め決められた時間間隔で前記撮像素子に繰り返し実行させ、動画撮影の終了が指示されるまでの間に出力された複数の画像データを、取得時と同じ順番で連続再生することが可能な動画データとして記録する動画撮影手段とを有する撮像装置の撮像方法であって、前記動画撮影手段による動画撮影中に静止画撮影が指示された場合は、前記動画撮影手段による前記撮像素子の利用を一時的に中断して前記静止画撮影手段に前記撮像素子を利用させ、前記静止画撮影手段による前記撮像素子の利用が終了した後に前記動画撮影手段による前記撮像素子の利用を再開させるステップと、前記動画撮影手段による前記撮像素子の利用が中断されている時間が、予め決められた時間を経過した場合は、前記静止画撮影手段による前記撮像素子の利用を中断させることにより前記動画撮影手段による前記撮像素子の利用を再開させるステップと、からなることを特徴とする。
【手続補正１９】
【補正対象書類名】明細書
【補正対象項目名】００２５
【補正方法】変更
【補正の内容】
【００２５】
また、請求項１４の発明にあっては、指定された形態の画像データを撮像して出力する撮像素子と、静止画撮影が指示されたタイミングで、静止画用の画像データを撮像して出力する処理を前記撮像素子に実行させ、この出力された画像データを静止画データとして記録する静止画撮影手段と、動画撮影が指示された後に、動画フレーム用の画像データを撮像して出力する処理を、予め決められた時間間隔で前記撮像素子に繰り返し実行させ、動画撮影の終了が指示されるまでの間に出力された複数の画像データを、取得時と同じ順番で連続再生することが可能な動画データとして記録する動画撮影手段とを備えた撮影装置が有するコンピュータに、前記動画撮影手段による動画撮影中に静止画撮影が指示された場合は、前記動画撮影手段による前記撮像素子の利用を一時的に中断して前記静止画撮影手段に前記撮像素子を利用させ、前記静止画撮影手段による前記撮像素子の利用が終了した後に前記動画撮影手段による前記撮像素子の利用を再開させる処理と、前記動画撮影手段による前記撮像素子の利用が中断されている時間が、予め決められた時間を経過した場合は、前記静止画撮影手段による前記撮像素子の利用を中断させることにより前記動画撮影手段による前記撮像素子の利用を再開させる処理と、を実行させることを特徴とする。
【手続補正２０】
【補正対象書類名】明細書
【補正対象項目名】００２６
【補正方法】変更
【補正の内容】
【００２６】
また、請求項１５の発明にあっては、撮影装置が有するコンピュータに、撮影者が静止画撮影の指示操作を行ったタイミングを検出する検出処理と、前記静止画撮影の指示操作が検出された際に、撮像素子により静止画データを撮像して記録する静止画撮影処理と、前記静止画の撮像および記録が行われる際に、報知音を発する報知処理と、動画撮影の開始が指示されてから動画撮影の終了が指示されるまでの間、報知音を発生することなく各動画フレームに対応する画像データを前記撮像素子により順番に撮像させるとともに、この撮像動作と平行して音声の録音動作を実行させ、この撮像動作および録音動作により得られた複数の画像データおよび音声データを音声の同時再生が可能な動画データとして記録する動画撮影処理と、前記動画撮影動作および録音動作が行われている最中に、前記静止画撮影の指示操作が検出された場合に、前記録音動作を中断することなく前記動画フレームに対応する画像データの撮像動作を一時的に中断し、この中断により利用可能になった前記撮像素子を利用して前記静止画データの撮像動作を行わせ、この静止画データの撮像動作が終了した後に、前記一時的に中断されていた前記動画データの撮像動作を再開させる割り込み処理と、を実行させるためのプログラムであって、前記動画撮影処理は、前記割込制御手段による割り込み処理によって中断されることなく録音され続けている音声データに対して欠落が無いように、前記中断によって欠落した動画フレームに対応する画像データを補間して動画データを記録し、前記報知手段は、前記割込制御手段による割り込み処理によって前記静止画撮影手段による静止画の撮像および記録が行われる際は、前記報知音を発生しないように制御することを特徴とする。
【手続補正２１】
【補正対象書類名】明細書
【補正対象項目名】００２７
【補正方法】変更
【補正の内容】
【００２７】
また、請求項１６の発明にあっては、指定された形態の画像データを撮像して出力する撮像素子を備えた撮影装置が有するコンピュータに、静止画撮影が指示されたタイミングで、静止画用の画像データを撮像して出力する処理を前記撮像素子に実行させ、この出力された画像データを静止画データとして記録する静止画撮影処理と、動画撮影が指示された後に、動画フレーム用の画像データを撮像して出力する処理を、予め決められた時間間隔で前記撮像素子に繰り返し実行させ、動画撮影の終了が指示されるまでの間に出力された複数の画像データを、取得時と同じ順番で連続再生することが可能な動画データとして記録する動画撮影処理と、前記動画撮影処理による動画撮影中に静止画撮影が指示された場合は、前記動画撮影処理による前記撮像素子の利用を一時的に中断して前記静止画撮影処理による前記撮像素子の利用を行い、前記静止画撮影処理による前記撮像素子の利用が終了した後に前記動画撮影処理による前記撮像素子の利用を再開させる割込制御処理と、を実行させるためのプログラムであって、前記静止画撮影処理は、前記静止画用の画像データを撮像する前の準備動作として、準備動作用の画像データを撮像して出力する処理を、この準備動作が完了するまでの間、前記撮像素子に繰り返し実行させ、前記割込制御処理は、前記準備動作を含めて前記静止画撮影処理による前記撮像素子の利用が行われている間は、前記動画撮影処理による前記撮像素子の利用を一時的に中断することを特徴とする。
【手続補正２２】
【補正対象書類名】明細書
【補正対象項目名】００２８
【補正方法】変更
【補正の内容】
【００２８】
また、請求項１７の発明にあっては、指定された形態の画像データを撮像して出力する撮像素子を備えた撮影装置が有するコンピュータに、撮影者が静止画撮影の指示操作を行ったタイミングを検出する検出処理と、前記検出処理により静止画撮影の指示操作が検出された際に、撮像素子により撮像して得られる画像データを静止画データとして記録する静止画撮影処理と、動画撮影の開始が指示されてから動画撮影の終了が指示されるまでの間、各動画フレームに対応して予め決められたタイミングで各動画フレームに対応する画像データを前記撮像素子に順番に撮像させるとともに、この撮像動作と平行して音声の録音動作を実行させ、この撮像動作および録音動作により得られた複数の画像データおよび音声データを音声の同時再生が可能な動画データとして記録する動画撮影処理と、前記動画撮影処理による撮像動作および録音動作が行われている最中に、前記検出処理により静止画撮影の指示操作が検出された場合に、前記録音動作を中断することなく前記動画フレームに対応する画像データの撮像動作を一時的に中断し、この中断により利用可能になった前記撮像素子を利用して前記静止画撮影処理による静止画データの撮像動作を行わせ、この静止画データの撮像動作が終了した後に、前記一時的に中断されていた前記動画撮影処理による画像データの撮像動作を再開させる割り込み処理を行う割込制御処理と、を実行させるためのプログラムであって、前記動画撮影処理は、前記割込制御処理による割り込み処理によって中断されることなく録音され続けている音声データに対して欠落が無いように、前記中断によって欠落した動画フレームに対応する画像データを補間して動画データを記録し、前記静止画撮影処理は、前記動画撮影処理による撮像動作および録音動作とは非同期のタイミングで静止画用の画像データを撮像して出力する処理を前記撮像素子に実行させ、前記割込制御処理は、前記撮像素子による静止画用の画像データを撮像して出力する処理が終了した後であっても、前記予め決められたタイミングがくるまでの間は、前記撮像素子による動画フレーム用の画像データを撮像して出力する処理を再開させずに待機することを特徴とする。
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】削除
【補正の内容】
【手続補正４６】
【補正対象書類名】明細書
【補正対象項目名】００５２
【補正方法】削除
【補正の内容】
【手続補正４７】
【補正対象書類名】明細書
【補正対象項目名】００５３
【補正方法】削除
【補正の内容】
【手続補正４８】
【補正対象書類名】明細書
【補正対象項目名】００５４
【補正方法】変更
【補正の内容】
【００５４】
以上説明したように請求項１の発明にあっては、静止画撮影処理によって一時的に動画撮影処理が中断された動画であっても、単一の動画ファイルとして生成される。したがって、動画撮影処理中に静止画撮影処理が行われた場合であっても、動画撮影処理により得られる動画データが分断されることがなく、ファイル管理（整理）時や動画再生時における利便性を大幅に向上させることが可能となり、更に、動画撮影処理が中断される時間の長期化を回避することができるようにしたので、静止画撮影処理によって一時的に動画撮影処理が中断される場合であっても、より自然な動画を取得することが可能となる。
【手続補正４９】
【補正対象書類名】明細書
【補正対象項目名】００５５
【補正方法】変更
【補正の内容】
【００５５】
以上説明したように請求項９の発明にあっては、静止画撮影処理によって一時的に音声付き動画撮影処理が中断された動画であっても、単一の音声付き動画ファイルとして生成される。したがって、動画撮影処理中に静止画撮影処理が行われた場合であっても、動画撮影処理により得られる動画データが分断されることがなく、ファイル管理（整理）時や音声付き動画再生時における利便性を大幅に向上させることが可能となり、更に、単独の静止画撮影においては報知音を出力するが、音声付き動画撮影中の静止画撮影においては報知音を出力しないようにしたので、単独の静止画撮影タイミングの報知を可能にしつつ、音声付き動画撮影中に音声ノイズが混入するのを防止することができ、録音処理により得られる音声データの品質を向上させることができる。
【手続補正５０】
【補正対象書類名】明細書
【補正対象項目名】００５６
【補正方法】変更
【補正の内容】
【００５６】
以上説明したように請求項１１の発明にあっては、静止画用の画像データを撮像する前の準備動作中においても動画撮影手段による撮像素子の利用を一時的に中断して準備動作による撮像素子の利用ができるようにしたので、静止画撮影処理により得られる静止画データの品質を向上させることができる。
【手続補正５１】
【補正対象書類名】明細書
【補正対象項目名】００５７
【補正方法】変更
【補正の内容】
【００５７】
以上説明したように請求項１２の発明にあっては、音声付き動画データの撮影中に静止画撮影のための撮像動作が非同期に行われた場合であっても、音声データに対する動画フレームの欠落などの無い音声付き動画データを記憶することができる。
【手続補正５２】
【補正対象書類名】明細書
【補正対象項目名】００５８
【補正方法】削除
【補正の内容】
【手続補正５３】
【補正対象書類名】明細書
【補正対象項目名】００５９
【補正方法】削除
【補正の内容】
【手続補正５４】
【補正対象書類名】明細書
【補正対象項目名】００６０
【補正方法】削除
【補正の内容】
【手続補正５５】
【補正対象書類名】明細書
【補正対象項目名】００６１
【補正方法】削除
【補正の内容】
【手続補正５６】
【補正対象書類名】明細書
【補正対象項目名】００６２
【補正方法】削除
【補正の内容】
【手続補正５７】
【補正対象書類名】明細書
【補正対象項目名】００６３
【補正方法】削除
【補正の内容】
【手続補正５８】
【補正対象書類名】明細書
【補正対象項目名】００６４
【補正方法】削除
【補正の内容】
【手続補正５９】
【補正対象書類名】明細書
【補正対象項目名】００６５
【補正方法】削除
【補正の内容】
【手続補正６０】
【補正対象書類名】明細書
【補正対象項目名】００６６
【補正方法】削除
【補正の内容】
【手続補正６１】
【補正対象書類名】明細書
【補正対象項目名】００６７
【補正方法】削除
【補正の内容】
【手続補正６２】
【補正対象書類名】明細書
【補正対象項目名】００６８
【補正方法】削除
【補正の内容】